(57)【要約】【課題】従来の目合いの網地より小さい目合いの網地を特殊結節により良好に製網することができる製網方法と製網機を提供する。【解決手段】回転し前後に揺動する上鈎１６、たて糸Ａをガイドして上下左右前後に動く糸振り１７、よこ糸Ｂを挙上する挙上板１９、及び上鈎１６に形成したループからたて糸Ａを引き出す下鈎２１を備えた製網機を用いておこなう製網方法である。よこ糸Ｂとたて糸Ａのループを上鈎１６に形成し、上鈎１６からたて糸Ａとよこ糸Ｂのループを外した後、目送りロール５の目送り動作によりたて糸Ａとよこ糸Ｂのループを締め付けて特殊結節の網地を製網する。目送りロール５が目送り動作を行う際、よこ糸Ｂのシャットル８を収納したシャットルボックス７を反結節形成部側に移動させ、よこ糸Ｂを反結節形成部側に引くように動作させる。【選択図】図１０
2006057201.tif 000002
【特許請求の範囲】
【請求項１】
回転し前後に揺動する上鈎、たて糸をガイドして上下左右前後に動く糸振り、よこ糸を挙上する挙上板、及び該上鈎に形成したループからたて糸を引き出す下鈎を備えた製網機を用いて、よこ糸とたて糸のループを該上鈎に形成し、該上鈎からたて糸とよこ糸のループを外した後、目送りロールの目送り動作によりたて糸とよこ糸のループを締め付けて特殊結節の網地を製網する製網方法において、
該目送りロールが目送り動作を行う際、該よこ糸のシャットルを収納したシャットルボックスを反結節形成部側に移動させ、該よこ糸を反結節形成部側に引くことを特徴とする製網方法。
【請求項２】
たて糸をガイドしながら上下左右前後に動く糸振りと、結節形成部の上方に配置され該たて糸とよこ糸を引っ掛けて回転と前後揺動を行う上鈎と、該結節形成部の下方に設置され複数のよこ糸と等しい間隔の切れ込みを持つ櫛板と、該櫛板の背上でよこ糸を挙上するために上下動可能に配設された挙上板と、該たて糸と該よこ糸のループ内に進入して該ループ内からたて糸を引出す下鈎と、結節の最終工程にて網地を引いて目送りを行なう目送りロールと、を備えた製網機において、
前記よこ糸を収納した多数のシャットルを並設したシャットルボックスが該結節形成部に対して進退方向に移動可能に配設され、前記目送りロールが網地を引いて目送りを行なう際、該よこ糸を反結節側に引くように該シャットルボックスを移動させる移動駆動機構が設けられたことを特徴とする製網機。
【請求項３】
前記挙上板がよこ糸を挙上し、前記上鈎がよこ糸を巻き掛ける直前に、前記シャットルボックスを反結節形成部側に移動させて、該シャットルからよこ糸を引き出し、該上鈎がよこ糸を巻き掛けつつあるとき、該シャットルボックスを結節形成部側に移動して元の位置に戻すことを特徴とする請求項１記載の製網方法。
【発明の詳細な説明】
【技術分野】
【０００１】
本発明は、特殊結節により結節網を製網する製網方法と製網機に関し、特に従来の網地の目合いより小さい目合いの網地を良好に製網することができる製網方法と製網機に関する。
【背景技術】
【０００２】
従来、漁網などの網地を製網する製網機として、目ずれの少ない結節網を製網するために、よこ糸を持ち上げる挙上板を設け、たて糸を上鈎に巻き掛けた状態で、さらによこ糸を挙上板により持ち上げながら、その上鈎によこ糸を巻き掛けて、所謂特殊結節を行う製網機が、下記特許文献１などで知られている。
【特許文献１】特公昭５７−４２７４０号公報
【０００３】
この種の製網機により特殊結節で製網される網地は、結節工程の最後で上鈎に形成されたたて糸とよこ糸のループを締め付けて結節が形成されるが、このときのループの締め付けは、たて糸とよこ糸の両方の糸を同時に締め付ける必要があるために、目送りロールにより網地を送り方向に引き込むことにより行なわれる。
【０００４】
二重結節の網地を製網する場合、上鈎に形成されるループはたて糸のみであるため、ループを締め付ける際には、製網機に設けた目締め機構により強制的に目締めロールがたて糸に張力を付与し、ループが網地を送り出す方向とは逆方向のたて糸供給側へ引っ張られ、結節が形成される。
【０００５】
一方、特殊結節を行なう製網機においては、たて糸に張力を付与する目締めロールはあるものの、よこ糸に強制的な張力を付与する機構はこれまで存在しなかった。上鈎にたて糸とよこ糸の両方がループを形成する特殊結節では、たて糸のみを引っ張ると、よこ糸により形成されたループのみが残存し、良好な結節を形成することが不可能であった。このために、特殊結節を行なう従来の製網機は、結節工程の最後で、目送りロールにより網地を送り方向に引き込み、たて糸とよこ糸の双方のループを目送りロールにより同時に送り方向に引いてループの締め付けを行なっている。
【発明の開示】
【発明が解決しようとする課題】
【０００６】
しかしながら、目送りロールによって網地を送り方向に引き込み、ループの締め付けを行なうと、その締め付け代が網足となって比較的長くなり、そのような長い網足つまり目合いをもった網地が製網されることになる。
【０００７】
このために、従来の特殊結節による網地の目合いの最少値は、１目が約６０ｍｍと比較的大きくなり、それ未満の比較的小さい目合いの特殊結節網を製網することが難しいという課題があった。
【０００８】
本発明は、上述の課題を解決するものであり、従来の目合いの網地より小さい目合いの網地を特殊結節により良好に製網することができる製網方法と製網機を提供することを目的とする。
【課題を解決するための手段】
【０００９】
上記目的を達成するために、本発明の製網方法は、回転し前後に揺動する上鈎、たて糸をガイドして上下左右前後に動く糸振り、よこ糸を挙上する挙上板、及び該上鈎に形成したループからたて糸を引き出す下鈎を備えた製網機を用いて、よこ糸とたて糸のループを該上鈎に形成し、該上鈎からたて糸とよこ糸のループを外した後、目送りロールの目送り動作によりたて糸とよこ糸のループを締め付けて特殊結節の網地を製網する製網方法において、該目送りロールが目送り動作を行う際、該よこ糸のシャットルを収納したシャットルボックスを反結節形成部側に移動させ、該よこ糸を反結節形成部側に引くことを特徴とする。
【００１０】
ここで、上記製網方法においては、上記挙上板がよこ糸を挙上し、上記上鈎がよこ糸を巻き掛ける直前に、シャットルボックスを反結節形成部側に移動させて、該シャットルからよこ糸を引き出し、該上鈎がよこ糸を巻き掛けつつあるとき、該シャットルボックスを結節形成部側に移動して元の位置に戻すようにすることができる。
【発明の効果】
【００１１】
このような製網方法では、結節工程の最終段階で、上鈎からたて糸とよこ糸のループを外した後、目送りロールが目送り動作を行う際、よこ糸のシャットルを収納したシャットルボックスを反結節形成部側に移動させ、よこ糸を反結節形成部側に引くように動作する。したがって、よこ糸は結節形成部から反結節形成部側に適度な張力で引っ張られ、たて糸は目締めロールにより適度な張力で反結節形成部側に引かれているから、目送りロールによって網地が送り方向に引き込まれて、ループの締め付けが行なわれるとき、その締め付け代は効果的に短くなり、従来のものより締め付け代の短い網足つまり小さい目合いをもった網地を製網することができる。
【００１２】
一方、結節工程中に、挙上板によりよこ糸を持ち上げて上鈎によこ糸を巻き掛ける際、よこ糸に過度な張力が生じると、よこ糸と上鈎の間にたて糸が挟まれ、上鈎からたて糸が一旦外される段階で、たて糸が外れずに上鈎に掛けられたままとなり、その後の工程に進む結果、たて糸が切断される不具合が生じる。しかしながら、挙上板がよこ糸を挙上し、上鈎がよこ糸を巻き掛ける直前に、シャットルボックスを反結節形成部側に移動させて、シャットルからよこ糸を引き出し、上鈎がよこ糸を巻き掛けつつあるとき、シャットルボックスを結節形成部側に移動して元の位置に戻すことにより、よこ糸の張力を軽減し、これによって、たて糸を確実に上鈎から外して、たて糸の切断事故を防止することができる。
【発明を実施するための最良の形態】
【００１３】
以下、本発明の一実施形態を図面に基づいて説明する。図１は製網機の概略構成図を示している。この図１により先ず製網機の概略構成を説明すると、製網機１の結節形成部２には、そこに供給されるたて糸Ａとよこ糸Ｂから網地Ｃを編網するために、上鈎１６、糸振り１７、櫛板１８、挙上板１９、及び下鈎２１が、所定の動作を行いながら結節を作るように配設されている。
【００１４】
結節形成部２の後部（図１の右側）には、シャットルボックス７が前後に移動可能に配設され、シャットルボックス７内に、よこ糸Ｂを巻装した文銭（円盤状ボビン）を収納した多数のシャットル８が、ボックスの端部に設けたシャットル受け７ａに並べて保持され、収容されている。図５に示すように、シャットル８内の文銭８ｂに巻装されたよこ糸Ｂは、錘８ａが掛けられてある程度の張力を付与した状態で、その先端部から引き出される。
【００１５】
一方、たて糸Ａは、製網機１の外部に設けた図示しないボビンから供給され、たて糸供給ロール３、目締めロール４などを経て、糸振り１７を通して結節形成部２に供給される。また、結節形成部２にてたて糸Ａとよこ糸Ｂを結節して編網された網地Ｃは、その下方の目送りロール５を通り、複数の補助ロールを通過して、製網機１の後部（図１の左側）に設けた吐出ロール６から送出される構造である。
【００１６】
結節形成部２には、図２に示すように、上方に上鈎１６が配設され、上鈎１６は、その縦軸を中心に回動してたて糸Ａ、よこ糸Ｂを巻き掛け可能とされ、且つ鈎部に形成したループを外すために傾動可能な構造となっている。また、糸振り１７はたて糸Ａをガイドして、上下左右前後に動きながらたて糸Ａを供給するもので、主軸によりカムを介して従動する図示しない糸振り駆動機構により、上下左右前後に動くように構成される。櫛板１８は、多数のよこ糸Ｂと同じ間隔の切れ込みを入れた櫛状の板から形成され、その先端を下方に曲げて形成された状態で結節形成部２の所定位置に固定され、たて糸Ａとよこ糸Ｂの結節部及び網目を形成する網足部をその切れ込みつまり櫛歯の間の保持用凹部に入れて保持する構造である。
【００１７】
挙上板１９は、よこ糸Ｂを持ち上げるために、結節形成部２における櫛板１８の背上に上下動可能に配設される。挙上板１９の先端には多数のよこ糸Ｂを保持するための突出部が並設され、そこに係止凹部が形成され、さらによこ糸Ｂをガイドするガイド部１９ａがその背部に設けられている。この挙上板１９は、図示しない主軸に設けたカムを介して従動する挙上駆動機構により、所定のタイミングで上下動し、よこ糸Ｂを持ち上げるように駆動される。
【００１８】
下鈎２１はシャットル８の上方を前後方向に移動して結節形成部２に進入可能に配設され、図示しない下鈎駆動機構により結節ループ内に進入し、たて糸Ａをそのループ内から引出し、よこ糸Ｂを収容するシャットル８を潜らせるように、シャットル８の尾部の下側に進み、そこで下鈎２１からたて糸Ａをリリースするように構成される。
【００１９】
よこ糸Ｂの張力を調整する機構は、よこ糸Ｂを収容したシャットル８を並べて保持するシャットルボックス７を、製網機の前後（図１の左右方向）に移動させる機構によって構成される。即ち、図３、図４に示すように、多数のシャットル８を並設して収容したシャットルボックス７は、製網機の前後に移動可能に保持され、その一部に設けた長孔７ｂに作動レバー１４の先端のピン１５が係合する。そして、作動レバー１４の元部はよこ糸引出し軸１３に軸着され、よこ糸引出し軸１３の回動により、シャットルボックス７が前後に移動する構造である。よこ糸引出し軸１３は、クランク１２のスライドレバー１２ａとクランクレバー１２ｂ、及びカムフォロワ１１とカム１０を介して製網機の主軸９に連係されて回動する。
【００２０】
すなわち、主軸９にカム１０が固定され、そのカム１０に接触して従動するカムフォロワ１１を設けたクランク１２のスライドレバー１２aが配設される。スライドレバー１２ａの先端には、クランクピンを介してクランクレバー１２ｂを連結しており、そのクランクレバー１２ｂがよこ糸引出し軸１３上に緩く外嵌されて、回動可能とされている。また、よこ糸引出し軸１３には、よこ糸引出し調整器２０の本体レバー２０ａが固定されている。
【００２１】
よこ糸引出し調整器２０は、本体レバー２０ａの先端に設けたねじ孔に調整ねじ棒２０ｃを螺合させ、調整ねじ棒２０ｃの末端に調整ハンドル２０ｂを取り付けて構成され、調整ねじ棒２０ｃの先端をクランクレバー１２ｂに当接可能とし、調整ねじ棒２０ｃの先端がクランクレバー１２ｂに当接する角度位置を調整することにより、よこ糸の引出し量を調整するようにしている。
【００２２】
すなわち、調整ねじ棒２０ｃの先端をレバー１２ｂ側に突き出すように調整すると、クランク２０のスライドレバー１２ａとの隙間が減少し、クランクレバー１２ｂの回動と共に本体レバー２０ａが回動する角度範囲が増加し、よこ糸引出し軸１３の回動角度範囲が増加して、よこ糸の引出し量が増大する。一方、調整ねじ棒２０ｃの先端をレバー１２ｂ側から戻すように調整すると、クランク２０のスライドレバー１２ａとの隙間が増大し、クランクレバー１２ｂの回動と共に本体レバー２０ａが回動する角度範囲が減少し、よこ糸引出し軸１３の回動角度範囲が減少して、よこ糸の引出し量が減少するように動作する。
【００２３】
また、主軸９に取着されるカム１０は、後述する所定のタイミング、例えば、結節工程の最終段階で、目送りロール５が作動して目送り動作を行なうタイミングで、シャットルボックス７を後方に移動させ、よこ糸Ｂに張力を付与するように、カム１０が形成され調整されている。シャットルボックス７を後方に移動させるタイミング、速度、時間、或いはシャットルボックス７を元の位置に戻すタイミング、速度、時間は、主軸９に取着されるカム１０の形状や取付角度を調整することにより、調整可能である。
【００２４】
さらに、よこ糸Ｂの張力の調整は、結節工程中の他のタイミングにおいても実施し、例えば、挙上板１９により持ち上がられたよこ糸Ｂを上鈎１６に巻き掛けつつ、先に上鈎１６に掛けられたたて糸Ａを外す工程において、その直前にシャットルボックス７を反結節形成部側に予め移動しておき、上鈎１６によこ糸Ｂを巻き掛けつつあるとき、シャットルボックス７を結節形成部側に戻すように移動し、これによって、よこ糸Ｂの張力を軽減し、たて糸Ａが確実に上鈎１６から外されるように動作する。
【００２５】
次に、上記構成の製網機を使用して、特殊結節の網地を製網する製網方法を説明する。図２のように、結節の準備が完了した状態で、先ず糸振り１７が上昇してたて糸Ａを持ち上げ、この状態で、上鈎１６が平面視で左に回転し、たて糸Ａを上鈎１６に引っ掛けてループを形成し、そしてよこ糸Ｂを上鈎１６に掛けるために、図６のように、挙上板１９を挙上させてよこ糸Ｂを持ち上げる。
【００２６】
続いて、図６から図７に示すように、上鈎１６が右に回転して上鈎１６に掛けられたたて糸Ａのループを解除すると共に、上鈎１６によこ糸Ｂを掛けるように回転する。このとき、挙上板１９がよこ糸Ｂを挙上し、上鈎１６がよこ糸Ｂを巻き掛ける直前に、シャットルボックス７を反結節形成部側に移動させて、シャットル８からよこ糸Ｂを引き出す。そして、上鈎１６がよこ糸Ｂを巻き掛けつつあるとき、図８のように、シャットルボックス７を結節形成部側に移動して元の位置に戻すように動作する。これにより、よこ糸Ｂの張力は軽減される。そして、糸振り１７が上昇し、上鈎１６が右に回転することにより、たて糸Ａが上鈎１６から外され、上鈎１６にはよこ糸のループが形成される（図９）。
【００２７】
このように、上鈎１６がよこ糸Ｂを巻きかける際、よこ糸Ｂの張力が軽減されるため、たて糸Ａがよこ糸Ｂと上鈎１６との間に挟み付けられる不具合が解消され、これによって、たて糸Ａが確実に上鈎１６から外れる。このため、たて糸Ａの切断事故を防止することができる。
【００２８】
そして次に、もう一度、糸振り１７が上昇して上鈎１６が回転し、たて糸Ａが上鈎１６に掛けられ、上鈎１６にはよこ糸とたて糸で作られたループが形成される。次に、下鈎２１が結節形成部２に向って移動し、上鈎１６の門部に形成されたループ内に下鈎２１が進入して、結節形成部２の前方に位置するたて糸Ａが糸振り１７の動作により下鈎２１に引っ掛けられ、たて糸Ａがループ内から引き出される。そして、たて糸Ａを引出した下鈎２１が、たて糸Ａのループにシャットル８をくぐらせるように、斜め下向きに前進してたて糸Ａをリリースする。このとき、目締めロール４が下降してたて糸Ａを引き込み、たて糸Ａによこ糸Ｂをくぐらせる。その後、上鈎１６が傾動して、図１０のように、その下端部からたて糸Ａとよこ糸Ｂのループが外され、この後、目送りロール５による目送りと、たて糸Ａ及びよこ糸Ｂの反結節形成部側への引き込み動作とにより、結節の目締めが行われる。
【００２９】
すなわち、結節工程の最終段階で、図１０のように、上鈎１６からたて糸Ａとよこ糸Ｂのループを外した後、目送りロール５が網地Ｃを送って目送り動作を行う際、よこ糸Ｂのシャットル８を収納したシャットルボックス７が、上記カム１０、カムフォロワ１１、クランク１２、及びよこ糸引出し軸１３の動作により、反結節形成部側に移動し、よこ糸Ｂを反結節形成部側に引くように動作する。
【００３０】
これにより、よこ糸Ｂが結節形成部から反結節形成部側に適度な張力で引かれ、たて糸Ａは目締めロール４により適度な張力で反結節形成部側に引かれているため、目送りロール５によって網地Ｃを送り方向に引き込むことによって、ループの締め付けが良好に行なわれる。つまり、その締め付け代は、単純に網地を目送りする場合より格段に短くなり、締め付け代の短い網足つまり小さい目合いをもった網地を製網することができる。従来の製網機を使用して特殊結節の網地を製網した場合、網地の１目の最少目合いの大きさは約６０ｍｍと大きいものであったが、この製網方法と製網機によれば、１目の最少目合いが約４０ｍｍと小さい目合いの網地を製網することができる。
【００３１】
このように、特殊結節を形成する工程において、結節の最終工程で、目送りを行なう際、シャットルボックス７を反結節形成部側に移動させて、よこ糸Ｂを同方向に引くことにより、従来より小さい目合いの網地を製網することができ、上鈎１６がよこ糸Ｂを巻きかける際、よこ糸Ｂの張力が軽減されるため、たて糸Ａがよこ糸Ｂと上鈎１６との間に挟み付けられる不具合が解消され、これによって、たて糸Ａが確実に上鈎１６から外れ、たて糸Ａの切断事故を防止することができる。
【００３２】
以上説明したように、本発明の製網方法と製網機によれば、結節工程の最終段階で、上鈎からたて糸とよこ糸のループを外した後、目送りロールが目送り動作を行う際、よこ糸のシャットルを収納したシャットルボックスを反結節形成部側に移動させ、よこ糸を反結節形成部側に引くように動作するから、目送りロールによって網地が送り方向に引き込まれて、ループの締め付けが行なわれるとき、その締め付け代は従来の製網方法に比べて格段に小さくなり、締め付け代の短い網足つまり小さい目合いをもった網地を製網することができる。
【図面の簡単な説明】
【００３３】
【図１】本発明の一実施形態を示す製網機の概略構成図である。
【図２】製網機の結節形成部２の拡大側面図である。
【図３】シャットルボックスの移動駆動機構の構成図である。
【図４】シャットルボックスを結節形成部の後方に移動させた状態の移動駆動機構の構成図である。
【図５】シャットルにおけるよこ糸の引き出し先端部の拡大断面図である。
【図６】結節工程中に、挙上板を挙上した状態の結節形成部の側面図である。
【図７】結節工程中に、挙上板によりよこ糸を挙上して上鈎に掛ける際の結節形成部の側面図である。
【図８】結節工程中に、よこ糸を上鈎に掛けてループを形成し、たて糸のループを解除する際の結節形成部の側面図である。
【図９】結節工程中に、たて糸のループの解除を終了し、よこ糸を上鈎に掛けてループを形成する際の結節形成部の側面図である。
【図１０】結節工程の最終段階で、たて糸とよこ糸のループを上鈎から外した状態の結節形成部の側面図である。
【符号の説明】
【００３４】
１−製網機
２−結節形成部
７−シャットルボックス
８−シャットル
９−主軸
１０−カム
１６−上鈎
１７−糸振り
１８−櫛板
１９−挙上板
２１−下鈎
Ａ−たて糸
Ｂ−よこ糸
Ｃ−網地
【図１】
2006057201.tif 000003
【図２】
2006057201.tif 000004
【図３】
2006057201.tif 000005
【図４】
2006057201.tif 000006
【図５】
2006057201.tif 000007
【図６】
2006057201.tif 000008
【図７】
2006057201.tif 000009
【図８】
2006057201.tif 000010
【図９】
2006057201.tif 000011
【図１０】
2006057201.tif 000012